(57)【要約】      （修正有）【課題】不用意な捺印動作を防止することができる印判を提供すること。【解決手段】印判は、外筒と、外筒に収容され該外筒に対しスライド移動可能な内筒と、内筒に収容され、印面を有する印字体と、外筒のスライド移動をロックするよう適合されたロック機構とを備える。ロック機構は、外筒のスライド移動のロック及びロック解除の操作を行うためのシーソースイッチ７２と、シーソースイッチ７２のロック解除操作を規制する操作を行うためのスライドスイッチ７１とを備える。スライドスイッチ７１を所定位置に操作すれば、シーソースイッチ７２のロック解除操作が規制されるので、外筒に不測の外力が加えられても下動しない。よって、不用意な捺印動作を防止することができる。【選択図】図２１
2018167571.tif 000002
【特許請求の範囲】
【請求項１】
外筒と、前記外筒に収容され該外筒内でスライド移動可能な内筒と、前記内筒に収容され、印面を有する印字体と、前記外筒の前記内筒に対するスライド移動をロックするよう適合されたロック機構とを備えた印判であって、
前記ロック機構が、
前記スライド移動のロック及びロック解除の操作を行うためのシーソースイッチと、
前記シーソースイッチのロック解除操作を規制する操作を行うためのスライドスイッチとを備えたことを特徴とする印判。
【請求項２】
前記印面が前記内筒内に格納された格納位置において、前記スライドスイッチが操作されることにより、前記シーソースイッチのロック解除操作が規制された状態で、前記格納位置からの前記外筒のスライド移動がロックされるように構成された、請求項１に記載の印判。
【請求項３】
前記シーソースイッチのフック部が、前記内筒に設けた突起部に当接することにより、前記シーソースイッチのロック解除操作が規制されるように構成された、請求項２に記載の印判。
【請求項４】
前記シーソースイッチのフック部が、前記内筒に設けた突起部に咬合することにより、前記シーソースイッチのロック解除操作が規制されるように構成された、請求項２に記載の印判。
【発明の詳細な説明】
【技術分野】
【０００１】
本発明は、捺印動作をロックするロック機構を備えた印判に関する。
【背景技術】
【０００２】
従来、不用意な捺印動作を防ぐため、外筒の下動をロックするロック機構を備えた印判が知られている（例えば、特許文献１、２参照）。例えば特許文献１に記載の印鑑ホルダは、中筒（２）の外側に外筒（１）が上下動自在に被せられ、外筒（１）の下動により開蓋状態になるとともに、中筒（２）の下端開口から印面が突出可能とされている。また、中筒（２）の側面にはロック孔（１８）が設けられ、そのロック孔（１８）に嵌入するロック爪（２１）を有するロック釦（２０）が、外筒（１）の側面に回動自在に設けられている。このロック機構によれば、ロック釦（２０）を回動操作することで、ロック爪（２１）がロック孔（１８）に嵌入し、それにより外筒（１）の下動がロックされる。
【先行技術文献】
【特許文献】
【０００３】
【特許文献１】特開平１０−２９７０７２号公報
【特許文献２】特開２００８−１７３９１９号公報
【発明の概要】
【発明が解決しようとする課題】
【０００４】
しかし、特許文献１の印鑑ホルダでは、ロック釦（２０）を有する、いわゆるシーソーロック機構により外筒（１）の上下動を規制する構成である。そのため、ロック釦（２０）に意図しない外力が加えられると簡単にロックが解除されてしまうという課題があった。
【０００５】
本発明は、このような従来の課題にかんがみてなされたものであり、不用意な捺印動作を確実に防ぐことができる等の印判を提供することを目的としている。
【課題を解決するための手段】
【０００６】
上述した課題を解決するため、本発明は、外筒と、前記外筒に収容され該外筒内でスライド移動可能な内筒と、前記内筒に収容され、印面を有する印字体と、前記外筒の前記内筒に対するスライド移動をロックするよう適合されたロック機構とを備えた印判であって、前記ロック機構が、前記スライド移動のロック及びロック解除の操作を行うためのシーソースイッチと、前記シーソースイッチのロック解除操作を規制する操作を行うためのスライドスイッチとを備えたことを特徴とする。
【０００７】
上記構成の印判は、前記印面が前記内筒内に格納された格納位置において、前記スライドスイッチが操作されることにより、前記シーソースイッチのロック解除操作が規制された状態で、前記格納位置からの前記外筒のスライド移動がロックされるように構成されることが好ましい。
【０００８】
上記構成の印判において、前記シーソースイッチのフック部が、前記内筒に設けた突起部に当接することにより、前記シーソースイッチのロック解除操作が規制されるように構成されることが好ましい。または、前記シーソースイッチのフック部が、前記内筒に設けた突起部に咬合することにより、前記シーソースイッチのロック解除操作が規制されるように構成されるものでもよい。
【発明の効果】
【０００９】
本発明に係る印判によれば、外筒のスライド移動をロックするよう適合されたロック機構を備え、ロック機構が、前記スライド移動のロック及びロック解除の操作を行うためのシーソースイッチと、シーソースイッチのロック解除操作を規制する操作を行うためのスライドスイッチとを備えている。スライドスイッチを所定位置に操作すれば、シーソースイッチのロック解除操作が規制されるので、外筒に不測の外力が加えられても下動することはない。これにより、不用意な捺印動作を防止することができる。
【図面の簡単な説明】
【００１０】
【図１】本発明の一実施形態による印判の正面図である。
【図２】図１の印判の側面図である。
【図３】図１の印判の背面図である。
【図４】図１に示したIV-IV線に沿う印判の断面図である。
【図５】図２に示したV-V線に沿う印判の断面図である。
【図６】内筒の斜視図である。
【図７】捺印に際して外筒を下動させた状態での印判の正面図である。
【図８】図７に示した状態での印判の側面図である。
【図９】図７に示したIX-IX線に沿う印判の断面図である。
【図１０】一の実施形態による開閉蓋の斜視図である。
【図１１】開閉蓋の平面図である。
【図１２】インキパッド容器を斜め上方から見た斜視図である。
【図１３】インキパッド容器を斜め下方から見た斜視図である。
【図１４】インキパッド容器の平面図である。
【図１５】インキパッド容器の正面図である。
【図１６】図１５に示したXVI-XVI線に沿うインキパッド容器の断面図である。
【図１７Ａ】インキパッド容器を開閉蓋に嵌合保持する動作を説明するための平面図である。
【図１７Ｂ】インキパッド容器を開閉蓋に嵌合保持する動作を更に説明するための平面図である。
【図１７Ｃ】インキパッド容器を開閉蓋に嵌合保持する動作を更に説明するための平面図である。
【図１８】スライドスイッチの斜視図である。
【図１９】シーソースイッチの斜視図である。
【図２０Ａ】スライドスイッチが左位置にあるときの図である。
【図２０Ｂ】スライドスイッチが右位置にあるときの図である。
【図２１】ロック機構の断面図であって、外筒の下動が規制された状態を示す断面図である。
【図２２】他の実施形態によるロック機構の断面図であって、外筒の下動が規制された状態を示す断面図である。
【図２３】ロック機構の断面図であって、外筒の上動が規制された状態を示す断面図である。
【発明を実施するための形態】
【００１１】
以下、図面を参照して、本発明の好適な実施形態による印判１を説明する。図１〜５に示されるように、印判１は、角筒状の外筒１０と、同じく角筒状の内筒２０と、外筒１０及び内筒２０との間のスライド移動に連動して開閉するように適合された開閉蓋４０とを備えている。内筒２０の一部（図面では上部）は、外筒１０に対しスライド移動可能に収容されている。外筒１０内には、図示しないコイルバネが設けられ、コイルバネが内筒２０を突出方向に常時付勢している。
【００１２】
外筒１０は、印判１の本体を構成するとともに、捺印をする際の持ち手部（グリップ）としても機能する部材である。例えば図２に示されるように、外筒１０の側面部には、内筒２０のスライド移動に追従して、開閉蓋４０のフォロア軸部４５を案内するためのカム孔部１２ａ、１２ｂが設けられている。
【００１３】
また、例えば図３に示されるように、外筒１０の背面部には、外筒１０の内筒２０に対するスライド移動をロックするよう適合されたロック機構のロック操作部７０が設けられている。このロック操作部７０は、シーソースイッチ７２と、シーソースイッチ７２を横に移動させるスライドスイッチ７１を含む。
【００１４】
内筒２０は、下端部２０ａに印面を露出させるための開口を有する概ね角筒状の中空部材からなる。内筒２０は、その上部が、外筒１０の下側開放部からスライド移動可能に挿入されている。例えば図６に示されるように、内筒２０の前面下部には、開閉蓋４０により閉じられるように適合された開放部２３が形成されている。内筒２０の天板部には、印字体３０が貫通するよう適合された開口部２４が形成されている。内筒２０の側面部には、開閉蓋４０のフォロア軸部４５を案内するためのカム孔部２２が設けられている。内筒２０の前面上部には、外筒１０内でのスライド移動を案内するためのガイド部２５が形成されている。
【００１５】
詳細は後述するが、内筒２０の背面には、シーソースイッチ７２に係止して、外筒１０の上動を規制するための上動規制突起部２７と、外筒１０の下動を規制するための下動規制突起部２８Ａとが形成されている。なお、シーソースイッチ７２、上動規制突起部２７及び下動規制突起部２８Ａ等は、本実施形態による印判１のロック機構を構成する。
【００１６】
印判１は、内筒２０の内部に、印面３２を有する印字体３０を格納している。印字体３０は、概ね円柱状を有している。例えば図４及び５の断面図に示されるように、印字体３０が内筒２０の開口部２４を貫通し、かつ、外筒１０の天板部に支承されている。これにより、印字体３０は、外筒１０と一体に上下動するように構成されている。
【００１７】
開閉蓋４０は、内筒２０に回動可能に取り付けられる部材である。開閉蓋４０のフォロア軸部４５は、外筒１０に形成されたカム孔部１２ａ又は１２ｂと、内筒２０に形成されたカム孔部２２とが交差する孔部を貫通している。つまり、本実施形態の印判１は、例えば図２に示されるような形状の外筒１０のカム孔部１２ａ又は１２ｂと、図６に示されるような内筒２０のカム孔部２２とが交差する孔部に、開閉蓋４０のフォロア軸部４５が拘束されたカム機構を備えている。このようなカム機構により、開閉蓋４０は、外筒１０が内筒２０の中に下動するに従って開く側に回動し、逆に外筒１０が内筒２０から上動するに従って閉じる側に回動するように構成されている。そして、内筒２０が外筒１０から最も突出する位置で、印字体３０の下面である印面が開閉蓋４０により塞がれる。それにより、開閉蓋４０に保持されたインキパッド６０が印面３２に対向当接し、インキが印面３２に供給される。
【００１８】
本実施形態による開閉蓋４０について更に説明する。図１０に示されるように、開閉蓋４０は、四角形の開口部４４が形成された前面部４１と、前面部４１の上端からそれぞれ延びる腕部に形成されたフォロア軸部４５と、後述のインキパッド容器５０を着脱可能に保持する切欠板部４２Ｌ、４２Ｒ（容器保持部）を含む各部が一体に形成された部材である。
【００１９】
本実施形態で、印字体３０の印面３２にインキを供給するインキパッド６０は、例えば図１２及び１３に示されるインキパッド容器５０に収容される。そして、このインキパッド容器５０が、開閉蓋４０に形成された容器保持部に挿抜可能に保持される。
【００２０】
図１１に示されるように、開閉蓋４０の容器保持部は、左右一対の切欠板部４２Ｌ、４２Ｒを備えて形成される。切欠板部４２Ｌ、４２Ｒは、中央の切欠により分離され、この切欠内にインキパッド容器５０のネック部が挿入される。切欠板部４２Ｌ、４２Ｒの各切欠縁には、先端から内方にかけて、略半円状の第一突起部４２ａと、同じく略半円状の第二突起部４２ｂとが離間して形成されている。すなわち、これらの突起部により、切欠板部４２Ｌ、４２Ｒの各切欠縁に沿って、第一溝部４３ａと、第二溝部４３ｂとが、先端から内方にかけて配列して形成されている。なお、容器保持部は、図１１に示されるように、各切欠板部４２Ｌ、４２Ｒ間の切欠の被挿入口が、両先端から互いに対向して突起する第一突起部４２ａ、４２ａにより狭められて形成されていることが好ましい。
【００２１】
インキパッド容器５０は、例えば図１２及び１３に示されるように、下側に開口を有する有底円筒状のパッド収容部５２と、パッド収容部５２の上面側で略四半円状の平行板を有するつまみ部５３と、パッド収容部５２の前面側から突出する略半円環状のトップ５１とを含む各部が一体に形成された部材である。インキパッド容器５０は、更に、パッド収容部５２とつまみ部５３との間のネック部両面に、略半円突起状の第一嵌合部５４ａ及び第二嵌合部５４ｂが形成されている。
【００２２】
インキパッド６０（図４、５参照）は、インキパッド容器５０のパッド収容部５２に収容される。なお、インキパッド６０の材料としては、例えば、ポリエチレン（ＰＥ）及びポリプロピレン（ＰＰ）を素材とするポリオレフィン系繊維を用いることができる。インキパッド６０に含浸されるインキは、顔料系、染料系、油性系、水性系を問わず適宜使用可能である。例えば、コート紙、プラスチックフィルム、アルミニウム、鉄等の難吸収紙や非吸収材に捺印するための速乾性インキとしては、速乾性溶剤に着色剤や樹脂等を溶解混合した油性インキを用いることができる。
【００２３】
本実施形態において、インキパッド容器５０は、開閉蓋４０に形成された容器保持部に挿抜可能に保持される（図１７Ａ）。また、開閉蓋４０に設けられる容器保持部は、インキパッド６０が印面３２に対向当接可能なセット位置（図１７Ｃ）と、セット位置よりも外側に若干偏移したプリセット位置（図１７Ｂ）とにおいて、インキパッド容器５０を嵌合保持するように構成されている。
【００２４】
すなわち、インキパッド容器５０を開閉蓋４０の容器保持部に挿入する際、最初に、図１７Ｂに示されるように、インキパッド容器５０の第一嵌合部５４ａが切欠板部４２Ｌ、４２Ｒの第一溝部４３ａに嵌合する。このとき、インキパッド容器５０は、トップ５１が開閉蓋４０の開口部４４内に進入した状態で、開閉蓋４０の容器保持部のプリセット位置に一旦保持される。インキパッド容器５０を更に奥に押し込むと、図１７Ｃに示されるように、インキパッド容器５０の第一嵌合部５４ａが切欠板部４２Ｌ、４２Ｒの第二溝部４３ｂに嵌合し、第二嵌合部５４ｂが第一溝部４３ａに嵌合する。これにより、インキパッド容器５０は、開閉蓋４０の容器保持部のセット位置に安定して保持される。
【００２５】
本実施形態の印判１によれば、開閉蓋４０に形成された容器保持部に、インキパッド容器５０が、セット位置とプリセット位置の二段階に嵌合保持することができる。インキパッド容器５０を開閉蓋４０のセット位置から取り出す際には、一旦、インキパッド容器５０がプリセット位置に嵌合保持されるため、不用意にインキパッド容器５０が飛び出すことがない。また、開閉蓋４０を開けた際に、インキパッド容器５０が落下するおそれもなくなる。また、インキパッド容器５０を開閉蓋４０から着脱可能に取り出すことができるので、インキパッド６０の交換や、インキの吸蔵量が減ったインキパッド６０に対するインキの補充などの作業も容易に行うことができる。
【００２６】
また、本実施形態の印判１において、外筒１０内に圧縮状態で収容されたコイルバネが内筒２０に弾発力を付与することにより、不使用時には、内筒２０が外筒１０から突出した状態となっている。この状態では、内筒２０の開口部２３が開閉蓋４０によって閉じられるとともに、開閉蓋４０のインキパッド容器５０に収容されているインキパッド６０が、内筒２０内に格納された印字体３１の印面３２に対向当接する。これにより、印面３２にインキが供給される。
【００２７】
印判１による捺印に際しては、図７〜９に示されるように、内筒２０の下端部２０ａを紙面に当て、外筒１０を紙面に向けて押圧することで、外筒１０が下動し、それに連動して開閉蓋４０が外側に開く。外筒１０に更に押圧力を加えると、下降する印字体３１の印面３２が内筒２０の下端部２０ａから露出し、印面３２が紙面に接触することにより、印影が紙面に転写される。
【００２８】
捺印が完了した後、外筒１０の押圧を開放すると、圧縮されたコイルバネの弾発力により、内筒２０が初期の突出位置に戻る。それに連動して開閉蓋４０が内筒２０側に閉じる。
【００２９】
次に、本実施形態の印判１に備えられ、外筒１０の内筒２０に対するスライド移動をロックするよう適合されたロック機構を説明する。このロック機構は、外筒１０のスライド移動をロック及びロック解除の操作を行うためのシーソースイッチ７２と、シーソースイッチ７２を左右に移動可能に構成されたスライドスイッチ７１とを含む。
【００３０】
図１８には、スライドスイッチ７１の斜視図が示される。スライドスイッチ７１は、四角板状の本体中央に、シーソースイッチ７２が嵌装される開口部７１ａが形成されている。開口部７１ａの左右裏面に、シーソースイッチ７２の回動軸部７２ｂを受ける軸受部７１ｂが形成されている。また、スライドスイッチ７１本体の上下の面に沿って、外筒１０に対しスライド可能に係止するための係止部７１ｃが形成されている。
【００３１】
図１９には、シーソースイッチ７２の斜視図が示される。シーソースイッチ７２は、外観視略Ｌ字状の部材である。シーソースイッチ７２は、本体の下部から後方に突出するフック部７２ａが形成されている。本体の左右面には、上述のスライドスイッチ７１の軸受部７１ｂに軸支される回動軸部７２ｂが延設されている。更に、本体の前面上部には、使用者が押圧操作しやすいように指を掛けるための突起部７２ｃが形成されている。
【００３２】
ロック操作部７０は、シーソースイッチ７２がスライドスイッチ７１の開口部７１ａに嵌装されて外筒１０の背面、すなわち開口蓋４０とは反対側の面に設けられている。図２０Ａ及び２０Ｂに示されるように、ロック操作部７０は、スライドスイッチ７１へのスライド操作により、シーソースイッチ７２が左右に移動するように構成されている。シーソースイッチ７２は、スライドスイッチ７１に軸支されて、回動可能となっている。
【００３３】
ここで、図２１〜２３は、外筒１０の内筒２０に対するスライド移動をロックするよう適合されたロック機構の実施形態を示す縦断面図である。これらの図に示されるように、シーソースイッチ７２は、外筒１０に一体に設けた板バネ部１５の弾発力により、フック部７２ａが内筒２０側に進入する向きに、常時付勢されている。
【００３４】
図２１は、印面３２が内筒２０内に格納された格納位置（内筒２０が突出状態、開閉蓋４０が閉状態）において、スライドスイッチ７１が右位置に操作され（図２０Ｂ参照）、外筒１０の下動がロックされた状態を示している。この場合、同図に示されるように、シーソースイッチ７２のフック部７２ａが、内筒２０に設けた下動規制突起部２８Ａに阻まれることにより、外筒１０の下動、及び、シーソースイッチ７２のロック解除操作が同時に規制されている。この場合において、シーソースイッチ７２の回動範囲は、フック部７２ａが下動規制突起部２８Ａの高さを超えない範囲に設定されることが好ましい。つまり、スライドスイッチ７１が右位置にあるときには、シーソースイッチ７２を押圧しても、フック部７２ａが下動規制突起部２８Ａに当接して回動しない。そのため、外筒１０に不測の外力が加えられても、外筒１０が下動することはなく、したがって不用意な捺印動作を防止することができる。
【００３５】
また、図２２は、他の実施形態によるロック機構の縦断面図である。図２２も、印面３２が内筒２０内に格納された格納位置（内筒２０が突出状態、開閉蓋４０が閉状態）において、スライドスイッチ７１が右位置に操作され（図２０Ｂ参照）、外筒１０の下動がロックされた状態を示している。この実施形態では、シーソースイッチ７２の曲げフック部７２ｂが、内筒２０に設けた曲げ突起部２８Ｂに咬合することにより、シーソースイッチ７２の回動が、更に強固に規制されている。したがって、外筒１０及び内筒２０との間のロック状態が更に強固に維持される。
【００３６】
なお、上述の２つの実施形態では、スライドスイッチ７１を右位置に操作することで（図２０Ａ参照）、フック部７２ａと、下動規制突起部２８Ａ又は曲げ突起部２８Ｂとの係止が解除され、可動ロックが解除される。
【００３７】
次に、図２３は、外筒１０が下動し、印面３２が内筒２０から露出した位置（内筒２０が縮退状態、開閉蓋４０が開状態）において、外筒１０の上動がロックされた状態を示している。この場合、同図に示されるように、シーソースイッチ７２のフック部７２ａが、内筒２０に設けた上動規制突起部２７に阻まれることにより、外筒１０の上動が規制されている。したがって、使用者は、このロック機構を作動させることにより、開閉蓋４０の開状態を保持したまま、インキパッド容器５０を取り出し、インキパッド６０の交換やインキの補充等を容易にすることができる。
【００３８】
また、本実施形態において、図２３に示された外筒１０の上動がロックされた状態では、スライドスイッチ７１の位置に関わらず、シーソースイッチ７２を回動させることができる。すなわち、使用者は、シーソースイッチ７２を押圧することで、簡単に外筒１０の上動ロックを解除することができる。
【符号の説明】
【００３９】
１  印判
１０  外筒
１２ａ、１２ｂ  カム孔部
１５  板バネ部
２０  内筒
２３  開放部
２４  開口部
２７  上動規制突起部
２８Ａ  下動規制突起部
２８Ｂ  曲げ突起部
３０  印字体
３２  印面
４０  開閉蓋
４２Ｌ、Ｒ  切欠板部
４２ａ  第一突起部
４２ｂ  第二突起部
４３ａ  第一溝部
４３ｂ  第二溝部
４４  開口部
４５  フォロア軸部
５０  インキパッド容器
５２  パッド収容部
５４ａ  第一嵌合部
５４ｂ  第二嵌合部
６０  インキパッド
７０  ロック操作部
７１  スライドスイッチ
７２  シーソースイッチ
７２ａ  フック部
７２ｄ  曲げフック部
【図１】
2018167571.tif 000003
【図２】
2018167571.tif 000004
【図３】
2018167571.tif 000005
【図４】
2018167571.tif 000006
【図５】
2018167571.tif 000007
【図６】
2018167571.tif 000008
【図７】
2018167571.tif 000009
【図８】
2018167571.tif 000010
【図９】
2018167571.tif 000011
【図１０】
2018167571.tif 000012
【図１１】
2018167571.tif 000013
【図１２】
2018167571.tif 000014
【図１３】
2018167571.tif 000015
【図１４】
2018167571.tif 000016
【図１５】
2018167571.tif 000017
【図１６】
2018167571.tif 000018
【図１７Ａ】
2018167571.tif 000019
【図１７Ｂ】
2018167571.tif 000020
【図１７Ｃ】
2018167571.tif 000021
【図１８】
2018167571.tif 000022
【図１９】
2018167571.tif 000023
【図２０Ａ】
2018167571.tif 000024
【図２０Ｂ】
2018167571.tif 000025
【図２１】
2018167571.tif 000026
【図２２】
2018167571.tif 000027
【図２３】
2018167571.tif 000028